(57)【特許請求の範囲】
【請求項１】
顔認証システムにより行われる顔認証方法であって、
訪問者が初めて所有者の占有スペースを訪問する前に訪問者情報を事前に登録する際に、所有者のユーザ端末から追加登録申請情報を前記顔認証システムが受け付けると登録必要情報を新たに割り振り、この割り振られた登録必要情報を前記顔認証システムが所有者のユーザ端末に送信する工程と、
訪問者の顔画像に関する情報を含む訪問者の登録情報を前記顔認証システムが受け付けると、受け付けた訪問者の登録情報を前記顔認証システムに記録するとともに、前記顔認証システムが登録完了情報を所有者のユーザ端末に送信する工程と、
前記顔認証システムが登録完了情報を所有者のユーザ端末に送信した後、訪問者が占有スペースを訪問する日時に関する訪問日時情報を受け付けると、受け付けた訪問日時情報を前記顔認証システムに記録する工程と、
占有スペースの入口に設置された施錠システムの撮像装置により撮像された訪問者の顔画像に関する情報を前記顔認証システムが受け付けると、前記顔認証システムが、前記撮像装置により撮像された訪問者の顔画像に関する情報と記録されている訪問者の顔画像に関する情報とを比較するとともに前記撮像装置により訪問者の顔画像が撮像された日時と事前に登録されている訪問日時情報とを比較することにより訪問者の認証を行う工程と、
前記顔認証システムにおいて訪問者の認証が行われると、前記顔認証システムが開錠指令を前記施錠システムの施錠装置に送信するとともに開錠完了通知を所有者のユーザ端末に送信する工程と、
を備えた、顔認証方法。
【請求項２】
訪問者が初めて所有者の占有スペースを訪問する前に訪問者情報を事前に登録する際に、前記顔認証システムが登録完了情報を所有者のユーザ端末に送信した後、訪問日時情報を前記顔認証システムが受け付けると、前記顔認証システムが訪問者のユーザ端末に登録完了通知情報を送信する、請求項１記載の顔認証方法。
【請求項３】
前記顔認証システムにより所有者のユーザ端末に送信される登録必要情報は、顔認証アプリのダウンロードに必要な情報であり、顔認証アプリにより訪問者の顔画像に関する情報を含む訪問者の登録情報が前記顔認証システムに送られる、請求項１または２記載の顔認証方法。
【請求項４】
２回目以降に訪問者が所有者の占有スペースを訪問する際に、少なくとも訪問者の氏名および訪問日時情報を前記顔認証システムが受け付けると、前記顔認証システムが訪問者のユーザ端末に登録完了通知情報を送信する、請求項１乃至３のいずれか一項に記載の顔認証方法。
【請求項５】
訪問者が初めて所有者の占有スペースを訪問する前に訪問者情報を事前に登録する際に、所有者のユーザ端末から追加登録申請情報を受け付ける追加登録申請情報受付手段と、
追加登録申請情報を前記追加登録申請情報受付手段が受け付けることにより新たに割り振られた登録必要情報を所有者のユーザ端末に送信する登録情報送信手段と、
訪問者の顔画像に関する情報を含む訪問者の登録情報を受け付ける訪問者登録情報受付手段と、
前記訪問者登録情報受付手段により受け付けた訪問者の登録情報を記録する顔認証クラウドと、
訪問者の登録情報が前記顔認証クラウドに記録されると、登録完了情報を所有者のユーザ端末に送信する登録完了情報送信手段と、
占有スペースの入口に設置された施錠システムの撮像装置により撮像された訪問者の顔画像に関する情報を受け付けると、前記撮像装置により撮像された訪問者の顔画像に関する情報と前記顔認証クラウドに記録されている訪問者の顔画像に関する情報とを比較するとともに前記撮像装置により訪問者の顔画像が撮像された日時と事前に登録されている訪問日時情報とを比較することにより訪問者の認証を行う認証手段と、
前記認証手段により訪問者の認証が行われると、開錠指令を前記施錠システムの施錠装置に送信する開錠指示送信手段と、
前記認証手段により訪問者の認証が行われると、開錠完了通知を所有者のユーザ端末に送信する開錠完了情報送信手段と、
を備えた、顔認証システム。
【請求項６】
訪問者が初めて所有者の占有スペースを訪問する前に訪問者情報を事前に登録する際に、前記登録完了情報送信手段が登録完了情報を所有者のユーザ端末に送信した後、訪問日時情報を受け付ける訪問日時情報受付手段と、
前記訪問日時情報受付手段により訪問日時情報を受け付けると、訪問者のユーザ端末に登録完了通知情報を送信する登録完了通知情報送信手段と、
を更に備えた、請求項５記載の顔認証システム。
【請求項７】
２回目以降に訪問者が所有者の占有スペースを訪問する際に、少なくとも訪問者の氏名および訪問日時情報を前記訪問日時情報受付手段が受け付けると、前記登録完了通知情報送信手段が訪問者のユーザ端末に登録完了通知情報を送信する、請求項６記載の顔認証システム。
【請求項８】
顔認証システムのプロセッサにより実行されるプログラムであって、
前記プロセッサが前記プログラムを実行することにより、
訪問者が初めて所有者の占有スペースを訪問する前に訪問者情報を事前に登録する際に、所有者のユーザ端末から追加登録申請情報を前記顔認証システムが受け付けると登録必要情報を新たに割り振り、この割り振られた登録必要情報を前記顔認証システムが所有者のユーザ端末に送信する工程と、
訪問者の顔画像に関する情報を含む訪問者の登録情報を前記顔認証システムが受け付けると、受け付けた訪問者の登録情報を前記顔認証システムに記録するとともに、前記顔認証システムが登録完了情報を所有者のユーザ端末に送信する工程と、
前記顔認証システムが登録完了情報を所有者のユーザ端末に送信した後、訪問者が占有スペースを訪問する日時に関する訪問日時情報を受け付けると、受け付けた訪問日時情報を前記顔認証システムに記録する工程と、
占有スペースの入口に設置された施錠システムの撮像装置により撮像された訪問者の顔画像に関する情報を前記顔認証システムが受け付けると、前記顔認証システムが、前記撮像装置により撮像された訪問者の顔画像に関する情報と記録されている訪問者の顔画像に関する情報とを比較するとともに前記撮像装置により訪問者の顔画像が撮像された日時と事前に登録されている訪問日時情報とを比較することにより訪問者の認証を行う工程と、
前記顔認証システムにおいて訪問者の認証が行われると、前記顔認証システムが開錠指令を前記施錠システムの施錠装置に送信するとともに開錠完了通知を所有者のユーザ端末に送信する工程と、
が行われる、プログラム。
【請求項９】
顔認証システムのプロセッサにより実行されるプログラムが記録される記録媒体であって、
前記プロセッサが前記プログラムを実行することにより、
訪問者が初めて所有者の占有スペースを訪問する前に訪問者情報を事前に登録する際に、所有者のユーザ端末から追加登録申請情報を前記顔認証システムが受け付けると登録必要情報を新たに割り振り、この割り振られた登録必要情報を前記顔認証システムが所有者のユーザ端末に送信する工程と、
訪問者の顔画像に関する情報を含む訪問者の登録情報を前記顔認証システムが受け付けると、受け付けた訪問者の登録情報を前記顔認証システムに記録するとともに、前記顔認証システムが登録完了情報を所有者のユーザ端末に送信する工程と、
前記顔認証システムが登録完了情報を所有者のユーザ端末に送信した後、訪問者が占有スペースを訪問する日時に関する訪問日時情報を受け付けると、受け付けた訪問日時情報を前記顔認証システムに記録する工程と、
占有スペースの入口に設置された施錠システムの撮像装置により撮像された訪問者の顔画像に関する情報を前記顔認証システムが受け付けると、前記顔認証システムが、前記撮像装置により撮像された訪問者の顔画像に関する情報と記録されている訪問者の顔画像に関する情報とを比較するとともに前記撮像装置により訪問者の顔画像が撮像された日時と事前に登録されている訪問日時情報とを比較することにより訪問者の認証を行う工程と、
前記顔認証システムにおいて訪問者の認証が行われると、前記顔認証システムが開錠指令を前記施錠システムの施錠装置に送信するとともに開錠完了通知を所有者のユーザ端末に送信する工程と、
が行われる、記録媒体。
【発明の詳細な説明】
【技術分野】
【０００１】
本発明は、顔認証方法、顔認証システム、プログラムおよび記録媒体に関する。
【背景技術】
【０００２】
従来、顔データに基づいて認証を行う顔認証システムとして、入力された入力顔データと、予め登録された登録顔データとを照合して本人認証を行う顔認証システムが知られている（例えば、特許文献１、２参照）。
【０００３】
特許文献１に記載された顔認証システムでは、カメラにより撮像された撮像画像中の顔部分の画像を用いて対象人物を認証する。また、特許文献２に記載された顔認証システムでは、例えば登録される顔画像が４つの場合、２つを精度保証用の顔パターンとし、１つを外乱成分吸収用の顔パターンとし、１つを更新対象用の顔パターンとしている。そして、新たに顔パターンを登録するときには、事前に登録されている４つの顔パターンのうち、新たに登録される顔パターンとの類似度が２番目に低い更新対象用の顔パターンを削除する。すなわち、新たに登録される顔パターンとの類似度が一番低い外乱成分吸収用の顔パターンを残すことにより、環境のばらつきに順応して顔認証を行う。
【先行技術文献】
【特許文献】
【０００４】
【特許文献１】特開２０１９−１９７４２６号公報
【特許文献２】特開２００６−７２５４０号公報
【発明の概要】
【発明が解決しようとする課題】
【０００５】
占有スペースを所有する所有者の関係者である訪問者が占有スペースを訪問する際に訪問者の顔認証を行うことにより占有スペースに所有者がいなくても訪問者が占有スペースに入ることができるようになると便利であるが、従来はこのようなシステムは存在しなかった。
【０００６】
本発明は、このような点を考慮してなされたものであり、顔認証を活用して占有スペースに所有者がいなくても訪問者が占有スペースに入ることができるため利便性が高く、またセキュリティ性の高い顔認証方法、顔認証システム、プログラムおよび記録媒体を提供することを目的とする。
【課題を解決するための手段】
【０００７】
本発明の顔認証方法は、
顔認証システムにより行われる顔認証方法であって、
訪問者が初めて所有者の占有スペースを訪問する前に訪問者情報を事前に登録する際に、所有者のユーザ端末から追加登録申請情報を前記顔認証システムが受け付けると登録必要情報を新たに割り振り、この割り振られた登録必要情報を前記顔認証システムが所有者のユーザ端末に送信する工程と、
訪問者の顔画像に関する情報を含む訪問者の登録情報を前記顔認証システムが受け付けると、受け付けた訪問者の登録情報を前記顔認証システムに記録するとともに、前記顔認証システムが登録完了情報を所有者のユーザ端末に送信する工程と、
前記顔認証システムが登録完了情報を所有者のユーザ端末に送信した後、訪問者が占有スペースを訪問する日時に関する訪問日時情報を受け付けると、受け付けた訪問日時情報を前記顔認証システムに記録する工程と、
占有スペースの入口に設置された施錠システムの撮像装置により撮像された訪問者の顔画像に関する情報を前記顔認証システムが受け付けると、前記顔認証システムが、前記撮像装置により撮像された訪問者の顔画像に関する情報と記録されている訪問者の顔画像に関する情報とを比較するとともに前記撮像装置により訪問者の顔画像が撮像された日時と事前に登録されている訪問日時情報とを比較することにより訪問者の認証を行う工程と、
前記顔認証システムにおいて訪問者の認証が行われると、前記顔認証システムが開錠指令を前記施錠システムの施錠装置に送信するとともに開錠完了通知を所有者のユーザ端末に送信する工程と、
を備えている。
【０００８】
本発明の顔認証システムは、
訪問者が初めて所有者の占有スペースを訪問する前に訪問者情報を事前に登録する際に、所有者のユーザ端末から追加登録申請情報を受け付ける追加登録申請情報受付手段と、
追加登録申請情報を前記追加登録申請情報受付手段が受け付けることにより新たに割り振られた登録必要情報を所有者のユーザ端末に送信する登録情報送信手段と、
訪問者の顔画像に関する情報を含む訪問者の登録情報を受け付ける訪問者登録情報受付手段と、
前記訪問者登録情報受付手段により受け付けた訪問者の登録情報を記録する顔認証クラウドと、
訪問者の登録情報が前記顔認証クラウドに記録されると、登録完了情報を所有者のユーザ端末に送信する登録完了情報送信手段と、
占有スペースの入口に設置された施錠システムの撮像装置により撮像された訪問者の顔画像に関する情報を受け付けると、前記撮像装置により撮像された訪問者の顔画像に関する情報と前記顔認証クラウドに記録されている訪問者の顔画像に関する情報とを比較するとともに前記撮像装置により訪問者の顔画像が撮像された日時と事前に登録されている訪問日時情報とを比較することにより訪問者の認証を行う認証手段と、
前記認証手段により訪問者の認証が行われると、開錠指令を前記施錠システムの施錠装置に送信する開錠指示送信手段と、
前記認証手段により訪問者の認証が行われると、開錠完了通知を所有者のユーザ端末に送信する開錠完了情報送信手段と、
を備えている。
【０００９】
本発明のプログラムは、
顔認証システムのプロセッサにより実行されるプログラムであって、
前記プロセッサが前記プログラムを実行することにより、
訪問者が初めて所有者の占有スペースを訪問する前に訪問者情報を事前に登録する際に、所有者のユーザ端末から追加登録申請情報を前記顔認証システムが受け付けると登録必要情報を新たに割り振り、この割り振られた登録必要情報を前記顔認証システムが所有者のユーザ端末に送信する工程と、
訪問者の顔画像に関する情報を含む訪問者の登録情報を前記顔認証システムが受け付けると、受け付けた訪問者の登録情報を前記顔認証システムに記録するとともに、前記顔認証システムが登録完了情報を所有者のユーザ端末に送信する工程と、
前記顔認証システムが登録完了情報を所有者のユーザ端末に送信した後、訪問者が占有スペースを訪問する日時に関する訪問日時情報を受け付けると、受け付けた訪問日時情報を前記顔認証システムに記録する工程と、
占有スペースの入口に設置された施錠システムの撮像装置により撮像された訪問者の顔画像に関する情報を前記顔認証システムが受け付けると、前記顔認証システムが、前記撮像装置により撮像された訪問者の顔画像に関する情報と記録されている訪問者の顔画像に関する情報とを比較するとともに前記撮像装置により訪問者の顔画像が撮像された日時と事前に登録されている訪問日時情報とを比較することにより訪問者の認証を行う工程と、
前記顔認証システムにおいて訪問者の認証が行われると、前記顔認証システムが開錠指令を前記施錠システムの施錠装置に送信するとともに開錠完了通知を所有者のユーザ端末に送信する工程と、
が行われる。
【００１０】
本発明の記録媒体は、
顔認証システムのプロセッサにより実行されるプログラムが記録される記録媒体であって、
前記プロセッサが前記プログラムを実行することにより、
訪問者が初めて所有者の占有スペースを訪問する前に訪問者情報を事前に登録する際に、所有者のユーザ端末から追加登録申請情報を前記顔認証システムが受け付けると登録必要情報を新たに割り振り、この割り振られた登録必要情報を前記顔認証システムが所有者のユーザ端末に送信する工程と、
訪問者の顔画像に関する情報を含む訪問者の登録情報を前記顔認証システムが受け付けると、受け付けた訪問者の登録情報を前記顔認証システムに記録するとともに、前記顔認証システムが登録完了情報を所有者のユーザ端末に送信する工程と、
前記顔認証システムが登録完了情報を所有者のユーザ端末に送信した後、訪問者が占有スペースを訪問する日時に関する訪問日時情報を受け付けると、受け付けた訪問日時情報を前記顔認証システムに記録する工程と、
占有スペースの入口に設置された施錠システムの撮像装置により撮像された訪問者の顔画像に関する情報を前記顔認証システムが受け付けると、前記顔認証システムが、前記撮像装置により撮像された訪問者の顔画像に関する情報と記録されている訪問者の顔画像に関する情報とを比較するとともに前記撮像装置により訪問者の顔画像が撮像された日時と事前に登録されている訪問日時情報とを比較することにより訪問者の認証を行う工程と、
前記顔認証システムにおいて訪問者の認証が行われると、前記顔認証システムが開錠指令を前記施錠システムの施錠装置に送信するとともに開錠完了通知を所有者のユーザ端末に送信する工程と、
が行われる。
【発明の効果】
【００１１】
本発明の顔認証方法、プログラム、記録媒体および顔認証システムによれば、顔認証を活用して占有スペースに所有者がいなくても訪問者が占有スペースに入ることができるため利便性を高めることができ、またセキュリティ性を高めることができる。
【図面の簡単な説明】
【００１２】
【図１】本発明の実施の形態による顔認証システムを概略的に示す図である。
【図２】図１に示す顔認証システムにおいて訪問者が初めて占有スペースを訪問する前に訪問者情報を事前に登録する際の情報のやり取りを示す説明図である。
【図３】図１に示す顔認証システムにおいて訪問者が初めて占有スペースを訪問する際の情報のやり取りを示す説明図である。
【図４】図１に示す顔認証システムにおいて訪問者が２回目以降に占有スペースを訪問する際の情報のやり取りを示す説明図である。
【発明を実施するための形態】
【００１３】
以下、図面を参照して本発明の実施の形態について説明する。図１乃至図４は、本実施の形態に係る顔認証システムおよびこのような顔認証システムを用いた顔認証方法を示す図である。
【００１４】
本実施の形態による顔認証システム１０および顔認証方法は、占有スペースを所有する所有者の関係者である訪問者が占有スペースを訪問する際に訪問者の顔認証を行うことにより占有スペースに所有者がいなくても訪問者が占有スペースに入ることができるようにするものである。なお、本発明では、占有スペースとは、マンションの一室や一戸建て住宅の内部空間のことをいう。また、占有スペースは、貸会議室やマンションの共有エリアであってもよい。また、所有者は、占有スペースを所有していたり占有スペースの管理権限を有したりすればよく、所有者は占有スペースに住む者に限定されることはない。例えば、旅行者が対価を占有スペースの所有者に支払うことによりこの所有者の占有スペースに旅行者を宿泊させる民泊にも本発明を適用することができる。すなわち、この場合は旅行者が訪問者となる。また、占有スペースがマンションの賃貸の部屋である場合には、所有者はこの部屋を借りている賃借人であってもよい。
【００１５】
図１に示すように、本実施の形態による顔認証システム１０は、訪問者受付システム１２および顔認証クラウド１４を有している。また、占有スペースの入口には施錠システム４０が設置されている。例えば、占有スペースが一戸建て住宅の内部空間である場合には、一戸建て住宅の外壁における入口扉の近傍に施錠システム４０が設置されている。また、占有スペースがマンションの一室や共有エリアである場合には、マンションの外壁における各戸の入口扉の近傍またはマンション自体のオートロックシステムが導入されたエントランス、エレベータ等に施錠システム４０が設置されている。また、１つのマンションで例えばエントランス、エレベータおよび各戸の入口扉のうち複数のものに施錠システム４０が設置されるように、セキュリティ性をより向上させるために施錠システム４０が何重にわたって設置されていてもよい。施錠システム４０は、撮像装置４２および施錠装置４４を有している。撮像装置４２および施錠装置４４はＬＡＮケーブル等の配線により互いに接続されている。撮像装置４２は、所有者の占有スペースに来訪した訪問者の顔画像を撮像することができるようになっている。また、撮像装置４２はインターネット回線等のネットワークに通信可能に接続されている。また、施錠装置４４は、一戸建て住宅やマンションの入口扉の施錠および開錠を行うことができるようになっている。また、施錠装置４４がマンション自体のオートロックシステムが導入されたエントランスに設置されている場合には、このエントランスにある入口扉の施錠および開錠を行うことができるようになっている。また、施錠装置４４がエレベータに設置されている場合には、施錠装置４４が開錠を行うとエレベータが昇降したり所定の階に止まったりすることができるようになっていてもよい。訪問者受付システム１２は、施錠システム４０の撮像装置４２により撮像された訪問者の顔画像を用いて認証を行うことにより、施錠装置４４による入口扉の開錠を行うようになっている。また、顔認証クラウド１４は、事前に登録された訪問者の顔画像の特徴量に係る情報を含む訪問者の登録情報を記憶するようになっている。顔認証システム１０および施錠システム４０はインターネット回線等のネットワークを介して通信可能に接続されている。また、訪問者が所持するスマートフォン等のユーザ端末３０および所有者が所持するスマートフォン等のユーザ端末２０はそれぞれインターネット回線等のネットワークを介して顔認証システム１０に通信可能に接続されている。
【００１６】
顔認証システム１０の訪問者受付システム１２は例えばコンピュータ等から構成されており、当該訪問者受付システム１２はＣＰＵ等のプロセッサ１２ａと、プログラムを記憶するメモリ１２ｂ（記録媒体）とを有している。そして、プロセッサ１２ａは、メモリ１２ｂに記憶されているプログラムを実行することにより、後述する様々な処理を行うようになっている。なお、プロセッサ１２ａにより実行されるプログラムはメモリ１２ｂに記憶されているものに限定されることはない。外部装置から顔認証システム１０に送信されたプログラムや、顔認証システム１０に着脱自在に装着される記録媒体に記憶されているプログラムをプロセッサ１２ａが実行することにより、後述する様々な処理が行われてもよい。
【００１７】
次に、このような構成からなる顔認証システム１０により訪問者の認証を行う際の処理内容について図２乃至図４を用いて説明する。
【００１８】
まず、本実施の形態による顔認証システム１０において訪問者が初めて所有者の占有スペースを訪問する前に訪問者情報を事前に登録する際の処理内容について図２を用いて説明する。占有スペースの所有者は、事前にユーザ端末２０に訪問者受付サービスのアプリケーションをインストールしておく。このようなアプリケーションにより所有者は訪問者の登録を行うことができる。具体的には、所有者と訪問者との間で電話やメール、チャットや会話アプリ等により訪問者が占有スペースを訪問する日時等が確定すると、所有者は自分のユーザ端末２０において訪問者受付サービスのアプリケーションを実行し、「追加登録申請ボタン」を押下する。所有者によって「追加登録申請ボタン」が押下されると、追加登録申請情報がユーザ端末２０から顔認証システム１０の訪問者受付システム１２に送信される（図２の（１））。
【００１９】
訪問者受付システム１２のプロセッサ１２ａは、ユーザ端末２０から追加登録申請情報を追加登録申請情報受付手段５０により受け付ける。そして、訪問者受付システム１２のプロセッサ１２ａは、追加登録申請情報を追加登録申請情報受付手段５０により受け付けると登録必要情報を新たに割り振り、この割り振られた登録必要情報を登録必要情報送信手段５２により所有者のユーザ端末２０に自動送信する（図２の（２））。ここで、登録必要情報とは、例えば顔認証アプリのダウンロード用のＵＲＬのことをいう。所有者のユーザ端末２０に送信された登録必要情報は、所有者のユーザ端末２０において実行される訪問者受付サービスのアプリケーション等に表示される。
【００２０】
所有者は、ユーザ端末２０において実行される訪問者受付サービスのアプリケーション等に表示される登録必要情報を訪問者のユーザ端末３０に送信する（図２の（３））。具体的には、所有者は、訪問者受付サービスのアプリケーション等に表示される登録必要情報をコピーし、メール、チャットや会話アプリ等によりこのコピーした登録必要情報を訪問者のユーザ端末３０に送信する。
【００２１】
訪問者は、所有者のユーザ端末２０から送信された登録必要情報をユーザ端末３０により受け付けると、ユーザ端末３０において受け取った登録必要情報を用いて顔認証アプリをユーザ端末３０にインストールする。例えば、登録必要情報が顔認証アプリのダウンロード用のＵＲＬである場合には、訪問者はユーザ端末２０においてこのＵＲＬにアクセスすることにより顔認証アプリをダウンロードする。このような顔認証アプリをユーザ端末３０にインストールすると、訪問者は顔認証アプリで登録情報を入力することができる。具体的には、顔認証アプリを用いることにより訪問者受付サービスを使用することを設定することができる。訪問者受付サービスの使用を設定する際に、訪問者はユーザ端末３０により登録情報として自分の氏名、生年月日、性別、メールアドレス、電話番号、パスワード等を入力する。また、訪問者が訪問者受付サービスを使用することを設定する際に、訪問者受付サービスの利用規約に同意する旨の情報を入力する。なお、上述した訪問者受付サービスの使用の設定は、顔認証アプリで行うことができるようになっていてもよく、あるいは顔認証アプリとは別に行うことができるようになっていてもよい。また、訪問者は顔認証アプリにより自分の顔をユーザ端末３０のカメラにより撮像する。このことにより、訪問者の顔画像データがユーザ端末３０により得られる。
【００２２】
訪問者がユーザ端末３０により訪問者受付サービスの登録を行うと、訪問者により入力された登録情報がユーザ端末３０から顔認証システム１０の顔認証クラウド１４に送信される（図２の（４））。具体的には、訪問者により入力された氏名、生年月日、性別、メールアドレス、電話番号、パスワード、および訪問者の顔画像データ等に係る情報がユーザ端末３０から顔認証システム１０の顔認証クラウド１４に送信される。顔認証クラウド１４は、ユーザ端末３０から送信された顔画像データに基づいて、所定のハッシュ関数によりハッシュ値を抽出する。このようなハッシュ値は訪問者の顔画像の特徴量として用いられる。また、顔認証クラウド１４は、訪問者の識別情報（例えば、識別番号）の割り当てを行う。そして、訪問者の氏名、生年月日、性別、メールアドレス、電話番号、パスワード等の情報、および訪問者の顔画像の特徴量等に係る情報が、訪問者の識別情報に関連付けられて顔認証クラウド１４に記録される。
【００２３】
また、顔認証クラウド１４により割り当てられた訪問者の識別情報および訪問者の氏名に係る情報等が訪問者受付システム１２に送られる（図２の（５））。訪問者受付システム１２のメモリ１２ｂには、訪問者の氏名が訪問者の識別情報に関連付けられて記録手段５６により記録される。その後、訪問者受付システム１２から所有者のユーザ端末２０には訪問者の氏名に係る情報を含む登録完了情報が登録完了情報送信手段５８により送信される（図２の（６））。このことにより、所有者のユーザ端末２０には訪問者の顔登録が完了した旨の情報がプッシュ通知される。
【００２４】
その後、所有者がユーザ端末２０において訪問者受付サービスのアプリケーション等を実行し、登録完了情報送信手段５８により送信された登録完了情報に含まれる訪問者の氏名をタップすると、訪問者が占有スペースを訪問する日時に係る情報をユーザ端末２０により入力することができるようになる。そして、所有者がユーザ端末２０により訪問者が占有スペースを訪問する日時に係る情報を入力すると、所有者のユーザ端末２０から訪問者受付システム１２に訪問者の氏名および訪問日時情報が送信される（図２の（７））。訪問者受付システム１２のプロセッサ１２ａは、所有者のユーザ端末２０から訪問者の氏名および訪問日時情報を訪問日時情報受付手段６０により受け付ける。そして、プロセッサ１２ａは、訪問者の氏名および訪問日時情報を訪問者の識別情報に関連付けてメモリ１２ｂに記録する。その後、プロセッサ１２ａは、登録完了通知情報を登録完了通知情報送信手段６２により訪問者のユーザ端末３０に送信する（図２の（８））。このことにより、訪問者のユーザ端末３０には、登録完了メッセージおよび訪問日時情報がプッシュ通知される。
【００２５】
その後、訪問者がユーザ端末３０において訪問者受付サービスのアプリを実行し、受け取り通知ボタンを押下すると、訪問者のユーザ端末３０から訪問者受付システム１２のプロセッサ１２ａに受け取り通知情報が送信される（図２の（９））。プロセッサ１２ａは、受け取り通知情報を受け付けると、訪問者が登録完了メッセージを受け取った旨を所有者のユーザ端末２０にプッシュ通知する（図２の（１０））。本実施の形態では、所有者は、顔認証システム１０の訪問者受付システム１２から訪問者の登録完了通知を受け取った後、この訪問者受付システム１２から更に受け取り通知情報を受け付けることにより、セキュリティ性を向上させることができる。より詳細に説明すると、本発明に係る顔認証システム１０は、所有者の不在時に訪問者が占有スペースに入ることができるようにするものであるため、厳重なセキュリティ性が求められる。すなわち、所有者が訪問者の登録を行う際に誤って別の訪問者を登録してしまうことにより、所有者が登録していない訪問者が占有スペースに入ってしまうことを防止する必要がある。この点について、本実施の形態では、所有者は、顔認証システム１０の訪問者受付システム１２から訪問者の登録完了通知を受け付けるだけではなく、この訪問者受付システム１２から更に受け取り通知情報を受け付ける。このことにより、もし所有者が訪問者の登録を行う際に誤って別の訪問者を登録した場合は、この別の訪問者から身に覚えのない登録の通知があった旨の連絡があったり、別の訪問者に関する受け取り通知情報を受け取ったりすることにより、所有者は登録の誤りに気付くことができるようになる。また、所有者がユーザ端末２０を用いて入力した訪問者情報が第三者にハッキングされた場合でも、所有者の不在時にこの第三者が占有スペースに入ってしまうことを防止することができる。
【００２６】
次に、本実施の形態による顔認証システム１０において訪問者が初めて占有スペースを訪問する際の処理内容について図３を用いて説明する。訪問者が占有スペースの入口に到達すると、訪問者はこの入口に設けられた施錠システム４０の撮像装置４２の画面で顔認証ボタンをタップする。そして、この撮像装置４２に顔をかざすと、撮像装置４２のカメラにより訪問者の顔が撮像される。なお、訪問者は撮像装置４２を操作しなくても顔をかざすだけで撮像装置４２のカメラにより訪問者の顔が撮像されるようになっていてもよい。撮像装置４２は、カメラにより撮像された訪問者の顔画像データに基づいて、所定のハッシュ関数によりハッシュ値を抽出する。このようなハッシュ値は訪問者の顔画像の特徴量として用いられる。
【００２７】
上述したように訪問者の顔が撮像装置４２のカメラにより撮像されると、この訪問者の顔画像の特徴量に係る情報が撮像装置４２から顔認証システム１０の顔認証クラウド１４に送信される（図３の（１））。また、訪問者の顔画像が撮像装置４２により撮像された日時（以下、撮像日時ともいう）に関する情報も撮像装置４２から顔認証システム１０の顔認証クラウド１４に送信される。
【００２８】
顔認証システム１０の顔認証クラウド１４は、撮像装置４２から訪問者の顔画像の特徴量に係る情報を受け付けると、撮像装置４２から受け取った訪問者の顔画像の特徴量と、顔認証クラウド１４に記録されている訪問者の顔画像の特徴量とを比較する。そして、撮像装置４２から受け取った訪問者の顔画像の特徴量が、顔認証クラウド１４に記録されている訪問者の顔画像の特徴量に略一致すれば、この訪問者の氏名、訪問者の識別情報および撮像日時に関する情報が顔認証クラウド１４から訪問者受付システム１２に送信される（図３の（２））。なお、撮像装置４２から受け取った訪問者の顔画像の特徴量が、顔認証クラウド１４に記録されている訪問者の顔画像の特徴量と略一致しない場合には、その後の処理は行われない。また、撮像装置４２により訪問者の顔画像を一定回数撮像してもこの訪問者の顔画像の特徴量が顔認証クラウド１４に記録されている訪問者の顔画像の特徴量と略一致しない場合には、所有者が契約する警備会社等に通知が行われてもよい。
【００２９】
訪問者受付システム１２のプロセッサ１２ａは、顔認証クラウド１４から送られた訪問者の氏名、訪問者の識別情報および撮像日時と、メモリ１２ｂに記録されている訪問者の氏名、訪問者の識別情報および事前に登録されている訪問日時情報とを比較する。そして、顔認証クラウド１４から送られた訪問者の氏名、訪問者の識別情報および撮像日時が、メモリ１２ｂに記録されている訪問者の氏名、訪問者の識別情報および訪問日時情報に略一致する場合には、訪問者受付システム１２のプロセッサ１２ａは訪問者の認証を認証手段６４により行う。
【００３０】
認証手段６４により訪問者の認証が行われると、訪問者受付システム１２のプロセッサ１２ａは開錠指示を開錠指示送信手段６６により施錠システム４０に送信する（図３の（３））。施錠システム４０が顔認証システム１０の訪問者受付システム１２から開錠指示を受け付けると、施錠装置４４は占有スペースの入口扉の開錠を行う。このことにより、占有スペースに所有者がいなくても訪問者は占有スペースに入ることができるようになる。また、認証手段６４により訪問者の認証が行われると、訪問者受付システム１２のプロセッサ１２ａは開錠完了情報を開錠完了情報送信手段６８により所有者のユーザ端末２０に送信する（図３の（４））。このことにより、所有者は占有スペースの入口扉の開錠が行われたことを知ることができる。なお、他の態様として、施錠装置４４が占有スペースの入口扉の開錠を行った後、この施錠装置４４から訪問者受付システム１２のプロセッサ１２ａに開錠完了情報が送信されてもよい。この場合は、訪問者受付システム１２のプロセッサ１２ａは、施錠装置４４から開錠完了情報を受け取った後、開錠完了情報を開錠完了情報送信手段６８により所有者のユーザ端末２０に送信する。このようにして、顔認証システム１０において訪問者が初めて占有スペースを訪問する際の処理が完了する。
【００３１】
なお、訪問者の顔画像の特徴量が略一致するとは、例えば、施錠システム４０の撮像装置４２から受け取った訪問者の顔画像の特徴量と、顔認証クラウド１４に記録されている訪問者の顔画像の特徴量との一致率が所定の閾値（例えば、８０％）を超える場合のことをいう。また、撮像装置４２による撮像日時が、事前に登録されている訪問日時情報と略一致するとは、撮像装置４２により訪問者の顔画像が撮像された日時と、訪問者受付システム１２のメモリ１２ｂに記録されている、訪問者が占有スペースを訪問する日時との誤差が所定の時間（例えば３時間）以内であることをいう。
【００３２】
次に、本実施の形態による顔認証システム１０において訪問者が２回目以降に占有スペースを訪問する際の処理内容について図４を用いて説明する。
【００３３】
所有者と訪問者との間で電話やメール、チャットや会話アプリ等により訪問者が占有スペースを訪問する日時や人数等が確定すると、所有者は自分のユーザ端末２０において訪問者受付サービスのアプリケーションを実行し、訪問者の氏名および訪問者が所有者の占有スペースを訪問する日時等の情報を入力する。
【００３４】
所有者によってユーザ端末２０に訪問者の氏名および訪問者が所有者の占有スペースを訪問する日時等の情報が入力されると、この入力された訪問者の氏名および訪問日時情報はユーザ端末２０から顔認証システム１０の訪問者受付システム１２に送信される（図４の（１））。訪問者受付システム１２のプロセッサ１２ａは、ユーザ端末２０から訪問者の氏名および訪問日時情報を訪問日時情報受付手段６０により受け付ける。プロセッサ１２ａは、訪問者の氏名および訪問日時情報を訪問者の識別情報に関連付けてメモリ１２ｂに記録する。そして、訪問者受付システム１２のプロセッサ１２ａは、登録完了通知情報を登録完了通知情報送信手段６２により訪問者のユーザ端末３０に送信する（図４の（２））。このことにより、訪問者のユーザ端末３０には、登録完了メッセージおよび訪問日時情報がプッシュ通知される。
【００３５】
その後、訪問者がユーザ端末３０において訪問者受付サービスのアプリを実行し、受け取り通知ボタンを押下すると、訪問者のユーザ端末３０から訪問者受付システム１２のプロセッサ１２ａに受け取り通知情報が送信される（図４の（３））。プロセッサ１２ａは、受け取り通知情報を受け付けると、訪問者が登録完了メッセージを受け取った旨を所有者のユーザ端末２０にプッシュ通知する（図４の（４））。２回目以降に訪問者が所有者エリアを訪問する場合でも、所有者は、訪問者が受け取り通知ボタンを押下した場合に訪問者受付システム１２から登録完了通知情報を受け取った旨の通知を受け付けることにより、セキュリティ性を向上させることができる。
【００３６】
その後、訪問者が占有スペースの入口に到達すると、訪問者はこの入口に設けられた施錠システム４０の撮像装置４２の画面で顔認証ボタンをタップする。そして、この撮像装置４２に顔をかざすと、撮像装置４２のカメラにより訪問者の顔が撮像される。なお、訪問者は撮像装置４２を操作しなくても顔をかざすだけで撮像装置４２のカメラにより訪問者の顔が撮像されるようになっていてもよい。撮像装置４２は、カメラにより撮像された訪問者の顔画像データに基づいて、所定のハッシュ関数によりハッシュ値を抽出する。このようなハッシュ値は訪問者の顔画像の特徴量として用いられる。
【００３７】
上述したように訪問者の顔が撮像装置４２のカメラにより撮像されると、この訪問者の顔画像の特徴量に係る情報が撮像装置４２から顔認証システム１０の顔認証クラウド１４に送信される（図４の（５））。また、撮像日時に関する情報も撮像装置４２から顔認証システム１０の顔認証クラウド１４に送信される。
【００３８】
顔認証システム１０の顔認証クラウド１４は、撮像装置４２から訪問者の顔画像の特徴量に係る情報を受け付けると、撮像装置４２から受け取った訪問者の顔画像の特徴量と、顔認証クラウド１４に記録されている訪問者の顔画像の特徴量とを比較する。そして、撮像装置４２から受け取った訪問者の顔画像の特徴量が、顔認証クラウド１４に記録されている訪問者の顔画像の特徴量に略一致すれば、この訪問者の氏名、訪問者の識別情報および撮像日時に関する情報が顔認証クラウド１４から訪問者受付システム１２に送信される（図４の（６））。なお、撮像装置４２から受け取った訪問者の顔画像の特徴量が、顔認証クラウド１４に記録されている訪問者の顔画像の特徴量と略一致しない場合には、その後の処理は行われない。
【００３９】
訪問者受付システム１２のプロセッサ１２ａは、顔認証クラウド１４から送られた訪問者の氏名、訪問者の識別情報および撮像日時と、メモリ１２ｂに記録されている訪問者の氏名、訪問者の識別情報および事前に登録されている訪問日時情報とを比較する。そして、顔認証クラウド１４から送られた訪問者の氏名、訪問者の識別情報および撮像日時が、メモリ１２ｂに記録されている訪問者の氏名、訪問者の識別情報および訪問日時情報に略一致する場合には、訪問者受付システム１２のプロセッサ１２ａは訪問者の認証を認証手段６４により行う。
【００４０】
認証手段６４により訪問者の認証が行われると、訪問者受付システム１２のプロセッサ１２ａは開錠指示を開錠指示送信手段６６により施錠システム４０に送信する（図４の（７））。施錠システム４０が顔認証システム１０の訪問者受付システム１２から開錠指示を受け付けると、施錠装置４４は占有スペースの入口扉の開錠を行う。このことにより、占有スペースに所有者がいなくても訪問者は占有スペースに入ることができるようになる。また、認証手段６４により訪問者の認証が行われると、訪問者受付システム１２のプロセッサ１２ａは開錠完了情報を開錠完了情報送信手段６８により所有者のユーザ端末２０に送信する（図４の（８））。このことにより、所有者は占有スペースの入口扉の開錠が行われたことを知ることができる。なお、他の態様として、施錠装置４４が占有スペースの入口扉の開錠を行った後、この施錠装置４４から訪問者受付システム１２のプロセッサ１２ａに開錠完了情報が送信されてもよい。この場合は、訪問者受付システム１２のプロセッサ１２ａは、施錠装置４４から開錠完了情報を受け取った後、開錠完了情報を開錠完了情報送信手段６８により所有者のユーザ端末２０に送信する。このようにして、顔認証システム１０において訪問者が２回目以降に占有スペースを訪問する際の処理が完了する。
【００４１】
以上のような構成からなる、本実施の形態に係る、顔認証システム１０により行われる顔認証方法によれば、訪問者が初めて所有者の占有スペースを訪問する前に訪問者情報を事前に登録する際に、所有者のユーザ端末２０から追加登録申請情報を顔認証システム１０が受け付けると登録必要情報を新たに割り振り、この割り振られた登録必要情報を顔認証システム１０が所有者のユーザ端末２０に送信する。また、訪問者の顔画像に関する情報を含む訪問者の登録情報を顔認証システム１０が受け付けると、受け付けた訪問者の登録情報を顔認証システム１０に記録するとともに、顔認証システム１０が登録完了情報を所有者のユーザ端末２０に送信する。また、顔認証システム１０が登録完了情報を所有者のユーザ端末２０に送信した後、訪問者が占有スペースを訪問する日時に関する訪問日時情報を受け付けると、受け付けた訪問日時情報を顔認証システム１０に記録する。また、占有スペースの入口に設置された施錠システム４０の撮像装置４２により撮像された訪問者の顔画像に関する情報を顔認証システム１０が受け付けると、顔認証システム１０が、撮像装置４２により撮像された訪問者の顔画像に関する情報と記録されている訪問者の顔画像に関する情報とを比較するとともに撮像装置４２により訪問者の顔画像が撮像された日時と事前に登録されている訪問日時情報とを比較することにより訪問者の認証を行う。そして、顔認証システム１０において訪問者の認証が行われると、顔認証システム１０が開錠指令を施錠システム４０の施錠装置４４に送信するとともに開錠完了通知を所有者のユーザ端末２０に送信する。このような顔認証方法によれば、顔認証を活用して訪問者が所有者の占有スペースに到達したときに占有スペースに所有者がいなくても施錠装置４４により入口扉が開錠されるため訪問者が占有スペースに入ることができる。よって利便性を高めることができる。また、訪問者の認証が行われると開錠完了通知が所有者のユーザ端末２０に送信されるため、訪問者が占有スペースに入ったことを所有者が知ることができる。よってセキュリティ性を高めることができる。更に、訪問者の顔画像に関する情報を含む訪問者の登録情報を顔認証システム１０が受け付け、この受け付けた訪問者の登録情報が顔認証システム１０に記録されると、登録完了情報が所有者のユーザ端末２０に送信されるため、訪問者が情報の登録を行ったことを所有者が知ることができる。よってセキュリティ性をより一層高めることができる。
【００４２】
また、本実施の形態に係る顔認証方法によれば、訪問者が初めて所有者の占有スペースを訪問する前に訪問者情報を事前に登録する際に、顔認証システム１０が登録完了情報を所有者のユーザ端末２０に送信した後、訪問日時情報を顔認証システム１０が受け付けると、顔認証システム１０が訪問者のユーザ端末３０に登録完了通知情報を送信する。この場合には、訪問者のユーザ端末３０に登録完了通知情報を送信することにより、訪問者は所有者の占有スペースへの訪問が予約されたことを確実に認識することができる。
【００４３】
また、本実施の形態に係る顔認証方法によれば、顔認証システム１０により所有者のユーザ端末２０に送信される登録必要情報は、顔認証アプリのダウンロードに必要な情報であり、顔認証アプリにより訪問者の顔画像に関する情報を含む訪問者の登録情報が顔認証システム１０に送られる。この場合には、訪問者は所有者から教えてもらった顔認証アプリのダウンロードに必要な情報によって顔認証アプリをユーザ端末３０にダウンロードすることにより、顔認証アプリを用いて訪問者の顔画像に関する情報を含む訪問者の登録情報を顔認証システム１０に送信することができるようになる。
【００４４】
また、本実施の形態に係る顔認証方法によれば、２回目以降に訪問者が所有者の占有スペースを訪問する際に、少なくとも訪問者の氏名および訪問日時情報を顔認証システム１０が受け付けると、顔認証システム１０が訪問者のユーザ端末３０に登録完了通知情報を送信する。この場合には、２回目以降に訪問者が所有者の占有スペースを訪問する際には所有者はシンプルな方法で訪問者の占有スペースへの訪問を予約することができる。
【００４５】
また、本実施の形態に係る顔認証システム１０は、訪問者が初めて所有者の占有スペースを訪問する前に訪問者情報を事前に登録する際に、所有者のユーザ端末２０から追加登録申請情報を受け付ける追加登録申請情報受付手段５０と、追加登録申請情報を顔認証システム１０が受け付けることにより新たに割り振られた登録必要情報を所有者のユーザ端末２０に送信する登録必要情報送信手段５２と、訪問者の顔画像に関する情報を含む訪問者の登録情報を受け付ける訪問者登録情報受付手段５４と、訪問者登録情報受付手段５４により受け付けた訪問者の登録情報を記録する顔認証クラウド１４と、訪問者の登録情報が顔認証クラウド１４に記録されると、登録完了情報を所有者のユーザ端末２０に送信する登録完了情報送信手段５８と、占有スペースの入口に設置された施錠システム４０の撮像装置４２により撮像された訪問者の顔画像に関する情報を受け付けると、撮像装置４２により撮像された訪問者の顔画像に関する情報と顔認証クラウド１４に記録されている訪問者の顔画像に関する情報とを比較するとともに撮像装置４２により訪問者の顔画像が撮像された日時と事前に登録されている訪問日時情報とを比較することにより訪問者の認証を行う認証手段６４と、認証手段６４により訪問者の認証が行われると、開錠指令を施錠システム４０の施錠装置４４に送信する開錠指示送信手段６６と、認証手段６４により訪問者の認証が行われると、開錠完了通知を所有者のユーザ端末２０に送信する開錠完了情報送信手段６８とを備えている。このような顔認証システム１０によれば、顔認証を活用して訪問者が所有者の占有スペースに到達したときに占有スペースに所有者がいなくても施錠装置４４により入口扉が開錠されるため訪問者が占有スペースに入ることができる。よって利便性を高めることができる。また、訪問者の認証が行われると開錠完了通知が所有者のユーザ端末２０に送信されるため、訪問者が占有スペースに入ったことを所有者が知ることができる。よってセキュリティ性を高めることができる。更に、訪問者の顔画像に関する情報を含む訪問者の登録情報を顔認証システム１０が受け付け、この受け付けた訪問者の登録情報が顔認証システム１０に記録されると、登録完了情報が所有者のユーザ端末２０に送信されるため、訪問者が情報の登録を行ったことを所有者が知ることができる。よってセキュリティ性をより一層高めることができる。
【００４６】
また、本実施の形態では、プロセッサ１２ａにより実行される、顔認証システム１０により顔認証方法を行うためのプログラムおよびこのプログラムが記録された記録媒体が用いられる。ここで、プロセッサ１２ａがプログラムを実行することにより、訪問者が初めて所有者の占有スペースを訪問する前に訪問者情報を事前に登録する際に、所有者のユーザ端末２０から追加登録申請情報を顔認証システム１０が受け付けると登録必要情報を新たに割り振り、この割り振られた登録必要情報を顔認証システム１０が所有者のユーザ端末２０に送信する。また、訪問者の顔画像に関する情報を含む訪問者の登録情報を顔認証システム１０が受け付けると、受け付けた訪問者の登録情報を顔認証システム１０に記録するとともに、顔認証システム１０が登録完了情報を所有者のユーザ端末２０に送信する。また、顔認証システム１０が登録完了情報を所有者のユーザ端末２０に送信した後、訪問者が占有スペースを訪問する日時に関する訪問日時情報を受け付けると、受け付けた訪問日時情報を顔認証システム１０に記録する。また、占有スペースの入口に設置された施錠システム４０の撮像装置４２により撮像された訪問者の顔画像に関する情報を顔認証システム１０が受け付けると、顔認証システム１０が、撮像装置４２により撮像された訪問者の顔画像に関する情報と記録されている訪問者の顔画像に関する情報とを比較するとともに撮像装置４２により訪問者の顔画像が撮像された日時と事前に登録されている訪問日時情報とを比較することにより訪問者の認証を行う。そして、顔認証システム１０において訪問者の認証が行われると、顔認証システム１０が開錠指令を施錠システム４０の施錠装置４４に送信するとともに開錠完了通知を所有者のユーザ端末２０に送信する。このようなプログラムおよび記録媒体によれば、顔認証を活用して訪問者が所有者の占有スペースに到達したときに占有スペースに所有者がいなくても施錠装置４４により入口扉が開錠されるため訪問者が占有スペースに入ることができる。よって利便性を高めることができる。また、訪問者の認証が行われると開錠完了通知が所有者のユーザ端末２０に送信されるため、訪問者が占有スペースに入ったことを所有者が知ることができる。よってセキュリティ性を高めることができる。更に、訪問者の顔画像に関する情報を含む訪問者の登録情報を顔認証システム１０が受け付け、この受け付けた訪問者の登録情報が顔認証システム１０に記録されると、登録完了情報が所有者のユーザ端末２０に送信されるため、訪問者が情報の登録を行ったことを所有者が知ることができる。よってセキュリティ性をより一層高めることができる。
【００４７】
なお、本発明による顔認証方法や顔認証システムは、上述したような態様に限定されることはなく、様々な変更を加えることができる。
【００４８】
例えば、上記の説明では、施錠システム４０の撮像装置４２は、カメラにより撮像された訪問者の顔画像データに基づいて、所定のハッシュ関数によりハッシュ値を抽出し、このようなハッシュ値を訪問者の顔画像の特徴量として用いている。そして、訪問者の顔画像の特徴量が撮像装置４２から顔認証システム１０の顔認証クラウド１４に送信されるようになっている。しかしながら、他の態様では、撮像装置４２により撮像された訪問者の顔画像データがそのまま撮像装置４２から顔認証システム１０の顔認証クラウド１４に送信されてもよい。この場合は、顔認証クラウド１４は、撮像装置４２から送信された訪問者の顔画像データに基づいて、所定のハッシュ関数によりハッシュ値を抽出し、このようなハッシュ値を訪問者の顔画像の特徴量として用いる。
【００４９】
また、別の態様として、訪問者のユーザ端末３０において用いられる顔認証アプリは、ユーザ端末３０のカメラにより撮像された訪問者の顔画像データそのものを顔認証システム１０の顔認証クラウド１４に送信にする代わりに、ユーザ端末３０のカメラにより撮像された訪問者の顔画像データに基づいて、所定のハッシュ関数によりハッシュ値を特徴量として抽出し、抽出された訪問者の顔画像の特徴量を顔認証システム１０の顔認証クラウド１４に送信してもよい。この場合は、顔認証クラウド１４は、ユーザ端末３０から訪問者の顔画像の特徴量を含む登録情報を受け付けると、訪問者の識別情報（例えば、識別番号）の割り当てを行う。そして、訪問者の氏名、生年月日、性別、メールアドレス、電話番号、パスワード等の情報、および訪問者の顔画像の特徴量に係る情報が、訪問者の識別情報に関連付けられて顔認証クラウド１４に記録される。
【００５０】
また、更に別の態様として、施錠システム４０の撮像装置４２により撮像された訪問者の顔画像データがそのまま撮像装置４２から顔認証クラウド１４に送信される場合に、顔認証クラウド１４は、撮像装置４２から送信された訪問者の顔画像データと、顔認証クラウド１４に記録されている訪問者の顔画像データとを比較してもよい。この場合には、顔認証クラウド１４は、撮像装置４２から受け取った訪問者の顔画像データが、顔認証クラウド１４に記録されている訪問者の顔画像データに略一致すれば、この訪問者の氏名、訪問者の識別情報および撮像日時に関する情報が顔認証クラウド１４から訪問者受付システム１２に送信される。
【符号の説明】
【００５１】
１０    顔認証システム
１２    訪問者受付システム
１２ａ  プロセッサ
１２ｂ  メモリ
１４    顔認証クラウド
２０    占有スペースの所有者のユーザ端末
３０    訪問者のユーザ端末
４０    施錠システム
４２    撮像装置
４４    施錠装置
５０    追加登録申請情報受付手段
５２    登録必要情報送信手段
５４    訪問者登録情報受付手段
５６    記録手段
５８    登録完了情報送信手段
６０    訪問日時情報受付手段
６２    登録完了通知情報送信手段
６４    認証手段
６６    開錠指示送信手段
６８    開錠完了情報送信手段
【要約】
【課題】顔認証を活用して占有スペースに所有者がいなくても訪問者が占有スペースに入ることができるため利便性が高く、またセキュリティ性の高い顔認証方法、顔認証システム、プログラムおよび記録媒体を提供する。
【解決手段】顔認証システム１０により行われる顔認証方法は、占有スペースの入口に設置された施錠システム４０の撮像装置４２により撮像された訪問者の顔画像に関する情報を受け付けると、撮像装置４２により撮像された訪問者の顔画像に関する情報と記録されている訪問者の顔画像に関する情報とを比較するとともに撮像装置４２により訪問者の顔画像が撮像された日時と事前に登録されている訪問日時情報とを比較することにより訪問者の認証を行い、訪問者の認証が行われると、開錠指令を施錠システム４０の施錠装置４４に送信するとともに開錠完了通知を所有者のユーザ端末２０に送信する。
【選択図】図１【図１】
0006690074.tif 000002
【図２】
0006690074.tif 000003
【図３】
0006690074.tif 000004
【図４】
0006690074.tif 000005